【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記可変表示部に表示結果が導出される前に、複数種類の表示結果各々の導出を許容するか否かを決定する事前決定手段と、
遊技者が表示結果を導出させるために操作する導出操作手段と、
前記事前決定手段の決定結果および前記導出操作手段の操作に応じて前記可変表示部に表示結果を導出させる制御を行う手段であって、前記決定結果が複数種類の特定決定結果のうちのいずれかとなったゲームであるときに、当該特定決定結果の種類に応じた手順であって他の種類の特定決定結果に応じた手順とは異なる特定手順で前記導出操作手段が操作されたときに特定表示結果を導出させ、当該特定手順と異なる手順で前記導出操作手段が操作されたときに前記特定表示結果とは異なる特殊表示結果を導出させる制御を行う導出制御手段と、
前記決定結果が前記複数種類の特定決定結果のうちのいずれかとなったときに当該特定決定結果の種類に応じた特定手順を判別可能な判別情報を報知する有利状態に制御可能な有利状態制御手段と、
ゲームの進行に応じた演出を実行する演出実行手段と、
前記有利状態が終了した後に前記特殊表示結果が特定回数導出されることにより、外部出力される信号の態様を特定態様にする制御を行う外部出力制御手段とを備え、
前記演出実行手段は、前記有利状態が終了してから前記特殊表示結果が前記特定回数導出されるまでの特定期間において、前記有利状態において実行される演出とは異なる演出であって前記有利状態が終了した旨を示唆する特定演出を実行し、前記特殊表示結果が前記特定回数導出されて当該特定期間が終了することにより当該特定演出を終了する、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】００１０
【補正方法】変更
【補正の内容】
【００１０】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（スロットマシン１）において、
前記可変表示部に表示結果が導出される前に、複数種類の表示結果各々の導出を許容するか否かを決定する事前決定手段（内部抽選）と、
遊技者が表示結果を導出させるために操作する導出操作手段（ストップスイッチ８Ｌ、８Ｃ、８Ｒ）と、
前記事前決定手段の決定結果および前記導出操作手段の操作に応じて前記可変表示部に表示結果を導出させる制御を行う手段であって、前記決定結果が複数種類の特定決定結果（通＋転リプ１〜３、左ベル１〜右ベル３）のうちのいずれかとなったゲームであるときに、当該特定決定結果（たとえば、中ベル１）の種類に応じた手順であって他の種類の特定決定結果（左ベルや右ベル）に応じた手順とは異なる特定手順（中第１停止）で前記導出操作手段が操作されたときに特定表示結果（ＪＡＣ）を導出させ、当該特定手順と異なる手順で前記導出操作手段が操作されたときに前記特定表示結果とは異なる特殊表示結果（取りこぼし出目、転落リプ）を導出させる制御を行う導出制御手段（リール制御、図９、図１０）と、
前記決定結果が前記複数種類の特定決定結果のうちのいずれかとなったときに当該特定決定結果の種類に応じた特定手順（ＪＡＣ入賞可能となる押し順）を判別可能な判別情報（ナビ演出）を報知する有利状態（ＡＲＴ）に制御可能な有利状態制御手段（メイン制御部４１により遊技状態を制御するための処理、サブ制御部９１によりＡＴを制御するための処理）と、
ゲームの進行に応じた演出を実行する演出実行手段（図１６）と、
前記有利状態が終了した後に（ナビストックが０）前記特殊表示結果が特定回数（たとえば、２回）導出されることにより、外部出力される信号の態様を特定態様にする（ＡＴ終了信号の出力）制御を行う外部出力制御手段（図１１）とを備え、
前記演出実行手段は、前記有利状態が終了してから前記特殊表示結果が前記特定回数導出されるまでの特定期間において、前記有利状態において実行される演出とは異なる演出であって前記有利状態が終了した旨を示唆する特定演出を実行し、前記特殊表示結果が前記特定回数導出されて当該特定期間が終了することにより当該特定演出を終了する（図１６のＳｓ３６、Ｓｓ３７）。
【手続補正４】
【補正対象書類名】明細書
【補正対象項目名】００１１
【補正方法】変更
【補正の内容】
【００１１】
このような構成によれば、有利状態が終了してから特殊表示結果が特定回数導出されて外部出力される信号の態様が特定態様にされるまでの特定期間においては、特定演出が実行される。このため、有利状態終了後であるが外部機器において有利状態の終了が判別できておらず、外部機器側において有利状態に応じた状態が維持されているときには、スロットマシン側において有利状態において実行される演出とは異なる特定演出が実行される。その結果、外部機器の状態がスロットマシンの演出状態から乖離してしまうことを防止できる。
【手続補正５】
【補正対象書類名】明細書
【補正対象項目名】００１３
【補正方法】変更
【補正の内容】
【００１３】
特定回数は、１回であってもよく、２以上の予め定められた回数であってもよい。また、特定回数が２以上の予め定められた回数として場合、外部出力制御手段は、決定結果が特定決定結果となったゲームにおいて特殊表示結果が連続して特定回数導出されることにより前記信号を外部出力し、特殊表示結果が導出された後の特定決定結果となったゲームにおいて特定表示結果が導出されたときには特定回数をリセット（０クリア）するようにしてもよい。
【手続補正６】
【補正対象書類名】明細書
【補正対象項目名】００１４
【補正方法】変更
【補正の内容】
【００１４】
外部出力される信号の態様を特定態様にする制御とは、有利状態が終了した旨が特定可能となる信号であれば、当該信号を送信するための信号線の電圧レベルをＯＮ状態に変化させる制御であっても、逆に電圧レベルをＯＦＦ状態に変化させる制御であってもよい（変形例（ｂ）参照）。
【手続補正７】
【補正対象書類名】明細書
【補正対象項目名】００１５
【補正方法】変更
【補正の内容】
【００１５】
特定演出は、有利状態が終了した旨を示唆する演出であれば、有利状態において実行される演出とは異なる演出であってもよく、また、特定期間以外の期間のうち有利状態が終了してから所定条件が経過するまでの所定期間（たとえば、ＲＴ３が終了した後に制御されるＲＴ１が終了するまでの間など）では実行しない演出であって、所定期間以外の特殊期間（たとえば、潜伏時ＡＴ）では実行され得る演出であってもよい（変形例（ｄ）参照）。